(57)【要約】【課題】医療情報の検索により適した情報の表示を行うことを目的とする。【解決手段】複数の医療情報に含まれる第１の医療情報に第２の医療情報が関係付けられている場合に、第１の医療情報に関係する医療情報が存在することを示すアイコンを第１の医療情報のサムネイルと関連付けて表示手段に表示させる表示制御手段を有し、表示制御手段は、アイコンが選択された場合に、第１の医療情報と第２の医療情報の間の関係を表す表示情報を表示手段に表示するよう制御する。【選択図】図３
2019003230.tif 000002
【特許請求の範囲】
【請求項１】
複数の医療情報に含まれる第１の医療情報に第２の医療情報が関係付けられている場合に、前記第１の医療情報に関係する医療情報が存在することを示すアイコンを前記第１の医療情報のサムネイルと関連付けて表示手段に表示させる表示制御手段を有し、
前記表示制御手段は、前記アイコンが選択された場合に、前記第１の医療情報と前記第２の医療情報の間の関係を表す表示情報を前記表示手段に表示するよう制御することを特徴とする情報処理装置。
【請求項２】
前記医療情報及び前記医療情報の付帯情報のうち少なくとも一方に基づいて、前記第１の医療情報に前記第２の医療情報が関係付けられているか否かを判断する第１の判断手段をさらに有することを特徴とする請求項１に記載の情報処理装置。
【請求項３】
前記医療情報及び前記医療情報の付帯情報のうち少なくとも一方に基づいて、前記第１の医療情報と前記第２の医療情報の関係性を特定する特定手段をさらに有し、
前記表示制御手段は、前記特定手段により特定された関係性を示す前記アイコンを表示するよう制御することを特徴とする請求項１又は２に記載の情報処理装置。
【請求項４】
前記第１の医療情報は、第１の検査画像であり、
前記第２の医療情報は、前記第１の検査画像と比較される第２の検査画像であることを特徴とする請求項１乃至３の何れか１項に記載の情報処理装置。
【請求項５】
前記第１の医療情報は、第１の検査画像であり、
前記第２の医療情報は、前記第１の検査画像から生成した前記第１の検査画像の派生画像であることを特徴とする請求項１乃至３の何れか１項に記載の情報処理装置。
【請求項６】
前記第１の医療情報は、第１の検査画像であり、
前記第２の医療情報は、前記第１の検査画像と第２の検査画像との比較処理の結果を示す比較情報であり、
前記表示制御手段は、前記アイコンが選択された場合に、前記第１の検査画像と前記比較情報の間の関係を表す前記表示情報を表示するよう制御することを特徴とする請求項１乃至３の何れか１項に記載の情報処理装置。
【請求項７】
前記表示制御手段は、前記アイコンが選択された場合に、前記第１の検査画像と前記第２の検査画像と前記比較情報の間の関係を表す前記表示情報を表示するよう制御することを特徴とする請求項６に記載の情報処理装置。
【請求項８】
前記表示制御手段は、前記比較情報のサムネイルが選択された場合に、前記第１の検査画像と前記比較情報の間の関係を表す前記表示情報を表示するよう制御することを特徴とする請求項６に記載の情報処理装置。
【請求項９】
前記表示制御手段は、前記比較情報のサムネイルが選択された場合に、前記第１の検査画像と第２の検査画像と前記比較情報の間の関係を表す前記表示情報を表示するよう制御することを特徴とする請求項６に記載の情報処理装置。
【請求項１０】
前記表示制御手段は、
前記第１の医療情報に、前記第２の医療情報と、第３の医療情報が関係付けられている場合に、前記第１の医療情報に関係する医療情報が存在することを示す前記アイコンを前記第１の医療情報のサムネイルと関連付けて表示するよう制御し、
前記アイコンが選択された場合に、前記第１の医療情報と、前記第２の医療情報と、第３の医療情報の間の関係を表す前記表示情報を表示するよう制御することを特徴とする請求項１乃至３の何れか１項に記載の情報処理装置。
【請求項１１】
前記第１の医療情報は、第１の検査画像であり、
前記第２の医療情報は、前記第１の検査画像と比較される第２の検査画像であり、
前記第３の医療情報は、前記第２の検査画像と第２の検査画像の比較処理の結果を示す比較情報であることを特徴とする請求項１０に記載の情報処理装置。
【請求項１２】
前記比較情報は、前記比較処理の結果として生成される比較画像であることを特徴とする請求項６又は１１に記載の情報処理装置。
【請求項１３】
前記比較画像は、前記第１の検査画像と前記第２の検査画像の差分画像であることを特徴とする請求項１２に記載の情報処理装置。
【請求項１４】
前記表示情報は、前記第１の医療情報のサムネイルと前記第２の医療情報のサムネイルを繋ぐ関係線であることを特徴とする請求項１乃至１３の何れか１項に記載の情報処理装置。
【請求項１５】
前記表示情報は、テキスト情報であることを特徴とする請求項１乃至１３の何れか１項に記載の情報処理装置。
【請求項１６】
前記表示制御手段は、前記第１の医療情報との関係性の異なる複数の医療情報が存在する場合に、複数の関係性それぞれに対応した複数のアイコンを前記第１の医療情報のサムネイルと関連付けて表示するよう制御する請求項１乃至１５の何れか１項に記載の情報処理装置。
【請求項１７】
前記表示制御手段は、時系列方向に表示可能な個数が予め定められた時系列順の表示欄を表示するよう制御し、さらに、医療情報に対応するサムネイルを、時系列順に前記表示欄に一覧表示するよう制御することを特徴とする請求項１乃至１６の何れか１項に記載の情報処理装置。
【請求項１８】
前記表示情報は、前記第１の医療情報のサムネイルと前記第２の医療情報のサムネイルを繋ぐ関係線であり、
前記表示制御手段は、
時系列方向に表示可能なサムネイルの個数が予め定められた時系列順の表示欄を表示するよう制御し、さらに、前記表示欄に表示可能なサムネイルを、時系列順に前記表示欄に一覧表示するよう制御し、
前記アイコンが選択された場合において、前記アイコンに対応付けられた前記第１の医療情報に対応するサムネイルと前記第２の医療情報に対応するサムネイルのうち少なくとも一方が前記表示欄に表示されていない場合に、前記第１の医療情報と前記第２の医療情報の間の医療情報のサムネイルの表示を省略することにより、前記第１の医療情報に対応するサムネイルと前記第２の医療情報に対応するサムネイルを前記表示欄に同時に表示するよう制御することを特徴とする請求項１に記載の情報処理装置。
【請求項１９】
前記表示制御手段は、
時系列方向に表示可能なサムネイルの個数が予め定められた時系列順の表示欄を表示するよう制御し、さらに、前記表示欄に表示可能なサムネイルを、時系列順に前記表示欄に一覧表示するよう制御し、
前記アイコンが選択された場合において、前記アイコンに対応付けられた前記第１の医療情報に対応するサムネイルと前記第２の医療情報に対応するサムネイルのうち少なくとも一方が前記表示欄に表示されていない場合に、前記時系列方向に表示可能なサムネイルの個数を増やすことにより、前記第１の医療情報に対応するサムネイルと前記第２の医療情報に対応するサムネイルを前記表示欄に同時に表示するよう制御することを特徴とする請求項１７に記載の情報処理装置。
【請求項２０】
情報処理装置が実行する情報処理方法であって、
複数の医療情報に含まれる第１の医療情報に第２の医療情報が関係付けられている場合に、前記第１の医療情報に関係する医療情報が存在することを示すアイコンを前記第１の医療情報のサムネイルと関連付けて表示手段に表示させる第１のステップと、
前記アイコンが選択された場合に、前記第１の医療情報と前記第２の医療情報の間の関係を表す表示情報を前記表示手段に表示するよう制御する第２のステップと
を含むことを特徴とする情報処理方法。
【請求項２１】
コンピュータを、請求項１乃至１９の何れか１項に記載の情報処理装置の各手段として機能させるためのプログラム。
【発明の詳細な説明】
【技術分野】
【０００１】
本発明は、情報処理装置、情報処理方法及びプログラムに関する。
【背景技術】
【０００２】
近年、医療用の検査装置や検査方法の高度化や多様化が進行し、医療現場では、これまで以上に多様な診療情報に基づいて総合的な判断が必要になってきている。このようなニーズに対し、医師の診断作業をスムーズかつ正確に支援するために、電子カルテやPACS（Picture  Archiving  and  Communication  System）などの医療情報システムが医療現場へ導入されつつある。特許文献１には、このような多種多様な医療情報に対応したサムネイルを一覧表示し、一の医療情報に対応したサムネイルが選択されると、選択された医療情報と他の医療情報の関係を示すサムネイル間の関係線を表示する技術が開示されている。これにより、医療情報の検索を容易に行うことができる。
【先行技術文献】
【特許文献】
【０００３】
【特許文献１】特開２０１７−１０４５２号公報
【発明の概要】
【発明が解決しようとする課題】
【０００４】
しかしながら、医療情報の中には、他の医療情報と関係付けられていない医療情報も存在するが、従来技術においては、ユーザは、サムネイルを選択してみないと、関係する医療情報の有無がわからないという問題があった。
【０００５】
本発明はこのような問題点に鑑みなされたもので、医療情報の検索により適した情報の表示を行うことを目的とする。
【課題を解決するための手段】
【０００６】
そこで、本発明は、情報処理装置であって、複数の医療情報に含まれる第１の医療情報に第２の医療情報が関係付けられている場合に、前記第１の医療情報に関係する医療情報が存在することを示すアイコンを前記第１の医療情報のサムネイルと関連付けて表示手段に表示させる表示制御手段を有し、前記表示制御手段は、前記アイコンが選択された場合に、前記第１の医療情報と前記第２の医療情報の間の関係を表す表示情報を前記表示手段に表示するよう制御することを特徴とする。
【発明の効果】
【０００７】
本発明によれば、医療情報の検索により適した情報の表示を行うことができる。
【図面の簡単な説明】
【０００８】
【図１】医療システムを示す図である。
【図２】クライアント装置の機能構成を示す図である。
【図３】表示処理を示すフローチャートである。
【図４】一覧画面の一例を示す図である。
【図５】関係線の表示例を示す図である。
【図６】ツールチップの表示例を示す図である。
【図７】ハイライト表示の一例を示す図である。
【図８】一覧画面の一例を示す図である。
【図９】第２の実施形態の説明図である。
【図１０】変形例の説明図である。
【図１１】変形例の説明図である。
【図１２】変形例の説明図である。
【図１３】第３の実施形態の説明図である。
【図１４】変形例の説明図である。
【発明を実施するための形態】
【０００９】
以下、本発明の実施形態について図面に基づいて説明する。
【００１０】
図１は、第１の実施形態に係る情報処理システムとしての医療システムを示す図である。医療システムは、医療情報を管理し、医師等のユーザによる操作に応じて、複数の医療情報の一覧画面を表示する。医療システムはこのとき、ユーザが、各医療情報間の関係性を容易に把握できるような、一覧画面を表示する。
【００１１】
医療システムは、クライアント装置１００と、サーバ装置１１０と、医療情報システム１２０とを有している。図１の例では、３つのクライアント装置１００を示すが、医療システムが有するクライアント装置１００の数は、実施形態に限定されるものではない。クライアント装置１００は、医師等のユーザが利用する情報処理装置の一例である。クライアント装置１００は、ユーザ操作に応じて、患者の医療情報を表示する。サーバ装置１１０は、クライアント装置１００からのリクエストを受け取り、必要に応じて医療情報システム１２０を参照し、リクエスト結果をクライアント装置１００にレスポンスする。
【００１２】
クライアント装置１００は、制御部１０１と、通信部１０２と、記憶部１０３と、表示部１０４と、ＵＩ部１０５と、接続部１０６とを有している。制御部１０１は、ＣＰＵを有しプログラムに従って処理を実行する。通信部１０２は、装置外部と情報を送受信する。記憶部１０３は、プログラムや中間情報を記憶する。表示部１０４は、処理結果を表示する。ＵＩ部１０５は、ユーザからの入力を制御部１０１に伝える。接続部１０６は、これらを接続するバス等である。後述するクライアント装置１００の機能や処理は、制御部１０１が記憶部１０３に格納されているプログラムを読み出し、このプログラムを実行することにより実現されるものである。なお、サーバ装置１１０のハードウェア構成は、クライアント装置１００のハードウェア構成と同様である。
【００１３】
医療情報システム１２０は、医療情報を記憶、管理している。具体的には、医療情報システム１２０は、電子カルテ１２１と、ＰＡＣＳ（Picture  Archiving  and  Communication  System）１２２とを有している。医療情報システム１２０はさらに、診断レポート管理システム１２３と、画像管理システム１２４と、オーダリングシステム１２５と、画像処理システム１２６と、を有している。電子カルテ１２１は、患者基礎情報（氏名、性別、生年月日、保険情報、等）やカルテ記事（診療記事）を管理する。ＰＡＣＳ１２２は、ＣＴ／ＭＲＩ等のＤＩＣＯＭ画像を管理する。診断レポート管理システム１２３は、読影レポートや病理レポートを管理する。画像管理システム１２４は、ＤＩＣＯＭ以外の画像（カメラ映像やスキャン文書）を管理する。オーダリングシステム１２５は、投薬や措置の指示を管理する。
【００１４】
画像処理システム１２６は、検査で得られた医療画像（検査画像）を画像処理することによって、診断に有用な画像（以下ではこれを派生画像と呼ぶ）を生成し、ＰＡＣＳ１２２や画像管理システム１２４に格納する。ここで、派生画像のうち代表的なものは、複数の検査画像に基づいて生成される派生画像（以下ではこれを比較画像と呼ぶ）である。比較画像は、複数の検査画像を比較する際に参照される画像である。比較画像は、複数の検査画像を比較するための画像処理（比較処理）によって生成される。比較画像としては、２つの検査画像の間の差分を示す差分画像や、２つの検査画像を重畳合成した融合画像が挙げられる。なお、派生画像はそれ自体が別の画像処理の入力として用いられる場合もあるため、検査画像とは特に区別なく扱うことが望ましい。１３０は、これらの装置を接続するネットワークである。
【００１５】
なお、ＣＴ／ＭＲＩ等の検査画像は、複数のスライス画像を含んでおり、この複数のスライス画像を含む画像群をまとめて、１つの医療情報と称することとする。また、画像処理システム１２６が作り出す比較画像等の派生画像も同様に、複数のスライス画像を含んでおり、この複数のスライス画像を含む画像群をまとめて、１つの医療情報と称することとする。
【００１６】
クライアント装置１００は、サーバ装置１１０を経由して、又はサーバ装置１１０を経由することなく直接、医療情報システム１２０を参照する。一方、サーバ装置１１０は、クライアント装置１００からのリクエストを医療情報システム１２０に単純中継する場合もある。また、サーバ装置１１０は、クライアント装置１００の処理の一部を分担する場合もある。また、サーバ装置１１０は、医療画像の解析機能や情報付与機能等の付加サービスを行う場合もある。
【００１７】
なお、医療情報システム１２０は、医療情報クラウドとして、インターネット上に構成される場合もある。クラウド（またはクラウドコンピューティング）とは、ネットワーク、特にインターネットをベースとしたコンピュータ資源の利用形態である。この場合には、医療情報システム１２０は、複数病院の医療情報をまとめて管理してもよい。また、医療情報システム１２０は、保険会社主体の契約病院グループ、医療法人の病院グループ、又は国家レベルで、医療情報を共有してもよい。
【００１８】
ネットワーク１３０は、病院内又は組織内で運用されるイントラネットでもよく、インターネットでもよい。また、ネットワーク１３０は、ＷｉＦｉ（ＩＥＥＥ８０２．１１シリーズ)や広域携帯電話網（３ＧやＬＴＥ）等のワイヤレス接続であってもよい。
【００１９】
図２は、クライアント装置１００の機能構成を示す図である。クライアント装置１００は、表示処理部２００と、受付部２０１と、分析部２０２と、特定部２０３とを有している。表示処理部２００は、表示部１０４への各種情報の表示を行う。受付部２０１は、ＵＩ部１０５を介して、各種指示を受け付ける。分析部２０２は、受付部２０１を介して医療情報システム１２０から取得した医療情報の分析を行う。特定部２０３は、医療情報と所定の関係性を有する１又は２以上の他の医療情報を特定する。関係性の詳細は後述する。
【００２０】
なお、他の例としては、ＣＰＵ以外のプロセッサを用いてクライアント装置１００の機能を実現することしてもよい。例えば、ＣＰＵに替えてＧＰＵ（Graphics  Processing  Unit）を用いることとしてもよい。また、他の例としては、図２に示すクライアント装置１００の各機能は、それぞれが複数のＣＰＵやＲＯＭ、ＲＡＭ等を連動させて実現されるものでもよく、また、それぞれがハードウェア回路により実現されるものでもよい。
【００２１】
図３は、クライアント装置１００による表示処理を示すフローチャートである。医療情報表示処理は、表示指示受付処理、医療情報取得処理、整列表示処理、関係表示処理を含んでいる。表示指示受付処理は、クライアント装置１００の各種処理を開始するための処理である。医療情報取得処理は、医療情報システム１２０が保持している患者の医療情報を、サーバ装置１１０を経由して取得する処理である。整列表示処理は、取得した患者の医療情報を解析して適切に整列表示する処理である。関係表示処理は、整列表示された医療情報間の関係性をユーザに分かり易く提示する処理である。以下、フローチャートを参照しつつ、各処理について詳述する。なお、医療情報表示処理の前提として、クライアント装置１００の起動時に、制御部１０１は、不揮発性の記憶装置やネットワーク１３０から設定情報を読み込むものとする。なお、設定情報は、工場出荷時の規定値や別ツール等を用いて設定されたユーザ指定値である。
【００２２】
Ｓ３００において、受付部２０１は、ユーザ操作に応じて、又はネットワーク１３０を介して、患者を識別する患者ＩＤ等により患者が指定された、医療情報の一覧画面の表示指示を受け付ける。例えば、ユーザが表示部１０４に表示されたグラフィカルユーザインターフェースの入力フォームを介して、ＵＩ部１０５から得られた患者番号（患者ＩＤ）や患者氏名を選択すると、受付部２０１は、表示指示を受け付ける。また、他の例としては、通信部１０２を介して患者検索式（データベース検索式等）が含まれる通信メッセージを受信すると、受付部２０１は、表示指示を受け付ける。
【００２３】
次に、Ｓ３０１において、受付部２０１は、通信部１０２を介して、医療情報システム１２０から表示指示に示される患者の医療情報を取得する。受付部２０１は、具体的には、表示指示に係る患者に関する患者基礎情報（氏名、生年月日、性別、等）と、診療記事や検体検査情報（血液検査値と、がん腫瘍マーカー値、等）を含む電子カルテを電子カルテ１２１から取得する。受付部２０１はさらに、ＣＴやＭＲＩ等の検査画像や、画像処理システム１２６が生成した派生画像をＰＡＣＳ１２２から取得する。受付部２０１はまた、読影レポートや病理レポートを診断レポート管理システム１２３から取得する。受付部２０１はさらに、カメラ画像やスキャン画像を画像管理システム１２４から取得する。受付部２０１はさらに、投薬情報をオーダリングシステム１２５から取得する。受付部２０１はさらに、必要に応じて、禁忌事項、保険情報、入院情報、等の患者付帯情報を医療情報システム１２０（例えば、電子カルテ１２１）から取得してもよい。ここで、電子カルテ、検査画像、派生画像、読影レポート、病理レポート、カメラ画像、スキャン画像、投薬情報、患者付帯情報は、いずれも医療情報の一例である。
【００２４】
次に、Ｓ３０２において、分析部２０２は、Ｓ３０１において取得した医療情報を分析する。具体的には、分析部２０２は、各医療情報の日時情報、種別情報、部位情報、担当医師情報、代表画像、各種属性情報を抽出する。ここで、日時情報とは、ＣＴ／ＭＲＩ等の検査の検査測定日時、読影レポートの対象検査の検査日時、診療記事の記入日時、カンファレンスの開催日時、派生画像の生成日時等である。代表画像は、その医療情報を示す画像である。医療情報が画像である場合、複数の医療画像を含んでおり、代表画像は、この複数の医療画像を代表して示す画像である。医療情報システム１２０において、各医療情報に対し、代表画像が予め設定されているものとする。さらに、医療情報システム１２０において、１つの医療画像に対し、複数の代表画像がその優先順位と共に設定されているものとする。分析部２０２は、医療情報自体に含まれる情報や、医療情報の属性情報に含まれるリンク情報や参照情報を分析することにより、上記情報を抽出する。なお、属性情報に含まれる情報としては、ＤＩＣＯＭ画像のAccession  Numberや各種ＵＩＤ、血液検査の検査オーダー番号、カンファレンス議事録の文書管理番号等が挙げられる。
【００２５】
次に、Ｓ３０３において、分析部２０２は、Ｓ３０２の分析結果を参照し、Ｓ３０１において得られた複数の医療情報それぞれを処理対象とし、処理対象の医療情報に対して、予め定められた関係性を有する他の医療情報を特定する。そして、分析部２０２は、特定した医療情報間の関係性に基づいて、関係情報を作成し、作成した関係情報を、記憶部としての制御部１０１又は記憶部１０３に記録する。
【００２６】
ここで、関係性と関係情報について説明する。予め定められた関係性としては、診断根拠関係、投薬判断関係、引用集約関係、検査画像間の因果関係が挙げられる。診断根拠関係は、読影レポートと、読影レポートにおいて診断根拠となっているＣＴやＭＲＩ等のＤＩＣＯＭ画像やＲＯＩ（Region  Of  Interest）情報と、の関係である。投薬判断関係は、投薬オーダーと、投薬オーダーで参照している薬剤力価、血液検査値、がん腫瘍マーカー値、禁忌情報と、の関係である。引用集約関係は、電子カルテと、電子カルテの手術サマリで引用している、術前・術後の患部写真、術前カンファレンス議事録、術後経過記事と、の関係である。検査画像間の因果関係は、画像処理システム１２６が検査画像を画像処理して生成した派生画像と、処理の元となった検査画像とを結びつける関係である。なお、これらの関係性に関する情報は、いずれも医療情報又はその属性情報から特定可能であるものとする。
【００２７】
関係情報は、特定された関係性と、関係性に係る医療情報と、を示す情報である。例えば、医療情報Ａ（読影レポート）に対し、医療情報Ｂ（ＣＴ検査画像）及び医療情報Ｃ（ＭＲＩ検査画像）が診断根拠となっているとする。この場合、分析部２０２は、「医療情報Ａと、医療情報Ｂと、医療情報Ｃとは、診断根拠関係の関係性を有する」ことを示す関係情報を生成する。また、医療情報Ｄ（比較画像）が医療情報Ｅ（ＣＴ検査画像）と、医療情報Ｆ（ＣＴ検査画像）から生成されたものであるとする。この場合、分析部２０２は、「医療情報Ｄは、医療情報Ｅと医療情報Ｆから生成されたという因果関係の関係性を有する」ことを示す関係情報を生成する。
【００２８】
なお、分析部２０２は、処理対象の医療情報自体に含まれる情報や、医療情報の属性情報に含まれるリンク情報や参照情報により特定される情報に基づいて、上記関係性の有無と、上記関係性を有する医療情報を特定する。特に、処理対象の医療情報が派生画像の場合には、分析部２０２は、派生画像と関係性を有する医療情報として、派生画像の生成元となる検査画像を特定する。
【００２９】
本実施形態においては、さらに、一方の検査画像を参照画像（基準画像）、他方の検査画像を浮動画像として位置合わせを行った上で差分画像等の比較画像が生成されるものとする。これに対応し、分析部２０２は、処理対象の医療情報が差分画像等の比較画像の場合には、基準画像と浮動画像を区別して２つの検査画像を特定する。本実施形態においては、基準画像と浮動画像を識別する情報（Series  Instance  UID  等）が、差分画像等の比較画像のメタ情報として（例えばＤＩＣＯＭ画像のプライベートタグ等）に格納されている。そして、分析部２０２は、メタ情報に基づいて、関係性と、関係性を有する医療情報を特定する。なお、比較画像を生成する際に、より新しい日時に取得された検査画像を必ず基準画像とする等のルールが、クライアント装置１００において設定されている場合もある。この場合には、比較画像は、基準画像と浮動画像を識別する情報を保持する必要はなく、分析部２０２は、ルールにしたがって、基準画像と浮動画像を特定すればよい。ここで、属性情報や、属性情報に含まれるリンク情報や参照情報により特定される情報、メタ情報は、付帯情報の一例であり、Ｓ３０３の処理は、医療情報又は医療情報の付帯情報に基づいて、関係性を特定する特定処理の一例である。
【００３０】
分析部２０２は、さらに、関係の方向性（参照方向）属性、関係度合い属性、を含む重み付き有向グラフ（weighted  directed  graph）を特定し、関係情報に含めてもよい。ここで、関係の方向性とは、参照方向を示すものであり、基準画像及び浮動画像とする検査画像を特定する情報である。また、診断根拠関係の場合、診断された医療情報と、根拠となる医療情報を特定する情報が関係の方向性となる。
【００３１】
次に、Ｓ３０４において、分析部２０２は、Ｓ３０２において抽出された情報を医療情報と共に記録、管理する。具体的には、分析部２０２は、日時情報、種別情報及び関係情報に関するインデクス（索引）を作成し、制御部１０１の記憶部に記録する。なお、他の例としては、分析部２０２は、インデクスを、記憶部１０３に記録してもよい。これにより、抽出・取得された情報を再利用することができる。なお、ここでインデクスは、それぞれの医療情報の特定の項目に着目して、その項目が指定された値（又は範囲）となっている医療情報を高速に取り出すために利用される。ＤＢＭＳ（Database  Management  System）でアクセス処理を高速化するために使われる技術と同様である。例えば、日時情報に関するインデクスでは、それぞれの医療情報の日時情報（年月日時分秒）をキーとして、医療情報へアクセスするためのインデクスをＢ木で管理する。例えば、関係情報に関するインデクスでは、それぞれの医療情報自体をキーとして、上記各種関係で関係付けられている別の医療情報へアクセスするためのインデクスをハッシュテーブルで管理する。
【００３２】
なお、クライアント装置１００は、医療情報に対応付けられている患者ＩＤや、日時情報等を検索キーとして医療情報を検索すればよく、医療情報を検索するための処理は実施形態に限定されるものではない。
【００３３】
次に、Ｓ３０５において、表示処理部２００は、インデクスとして管理されている日時情報と種別情報（画像種別）と、に基づいて、Ｓ３０１において取得した医療情報の一覧画面を表示する。図４は、一覧画面の一例を示す図である。一覧画面４００において、患者第１エリア４１０には、所属病院情報とユーザ名が表示されている。さらに、患者第１エリア４１０には、メッセージ表示制御ボタン、設定ボタン、ログアウトボタン、が表示されている。患者第２エリア４２０には、患者氏名、患者カナ氏名、性別、生年月日（年齢）、ＰＡＣＳ参照ボタン、電子カルテ参照ボタン、が表示されている。
【００３４】
表示制御エリア４３０には、取得された医療情報の期間、表示対象とする医療情報を絞り込むフィルタ制御ボタン（すべて、フィルタ１、フィルタ２、フィルタ３）が表示されている。表示制御エリア４３０にはまた、表示スタイル制御ボタン（タイムライン表示、リスト表示、マトリクス表示）が表示されている。
【００３５】
医療情報エリア４４０には、医療情報の検査種別ラベルが左右部に表示され、また、表示されている医療情報の日時情報が上部に表示されている。表示処理部２００は、医療情報エリア４４０に、日時情報と種別情報を直交する２軸とするマトリクス状の表示欄４４１を表示する。表示欄４４１には複数のセル４４３が２次元に配置されている。表示処理部２００は、Ｓ３０１において取得した各医療情報に対応するサムネイル４４２を日時情報と種別情報により定まるセル４４３に配置して表示する。なお、表示処理部２００は、各医療情報において設定された代表画像に対応するサムネイル（縮小画像）を各セルに表示する。
【００３６】
さらに、クライアント装置１００において、表示欄４４１における時系列方向（図４に示す横方向）に配置可能な列の個数、すなわち、時系列方向に表示可能なセルの個数は予め設定されているものとする。したがって、同一の種類の医療情報については、同時に表示可能なサムネイルの数は予め定められたセルの個数に制限される。図４の例では、時系列方向に配置可能なセルの個数は６個である。これに対応し、表示処理部２００は、表示すべき全てのサムネイルを同時に表示欄４４１に表示しきれない場合には、最新の医療情報から時系列順にサムネイルを配置することとする。そして、表示処理部２００は、表示できなかったサムネイルについては、スクロール操作に応じて切り替えて表示する。
【００３７】
範囲制御エリア４５０には、中央に時間スクロールバーが表示され、その左右に古い／新しい方向に移動する二つの矢印ボタンが表示されており、表示処理部２００は、矢印ボタンの操作に応じて、表示しきれなかった列を表示欄４４１に表示するようにする。例えば、図４において過去の方向（図４において左向き）の矢印が選択されると、列が移動し、最新の２０１３年１２月５日の列の表示がなくなり、２０１２年９月１０日よりも過去の日時に対応する列が新たに表示される。そして、この日時に対応付けられた医療情報に対応したサムネイルが対応するセルに表示される。
【００３８】
さらに、表示処理部２００は、各医療情報を処理対象とし、処理対象の医療情報に対する関係情報に基づいて、処理対象の医療情報に他の医療情報が関係付けられているか否かを判断する。表示処理部２００は、処理対象の医療情報に他の医療情報が関係付けられている場合に、処理対象の医療情報に関係する医療情報が存在することを示す関係アイコンを生成する。そして、表示処理部２００は、生成した関係アイコンを、処理対象の医療情報のサムネイルに関連付けて表示する。具体的には、表示処理部２００は、処理対象の医療情報のサムネイルと同一のセル内に関係アイコンを表示する。
【００３９】
図４に示すサムネイル４６１，４６２それぞれに対応する医療情報としての検査画像からサムネイル４６３に対応する医療情報としての差分画像が生成されたとする。さらに、サムネイル４６１に対応する検査画像が基準画像で、サムネイル４６２に対応する検査画像が浮動画像であるとする。この場合には、表示処理部２００は、サムネイル４６１に対応する検査画像に対し、関係アイコンを生成し、サムネイル４６１と同じセルに関係アイコン４７０を表示する。さらにこのとき、表示処理部２００は、関係性が因果関係（差分）であることを示す情報を表すアイコンを関係アイコン４７０として生成する。これにより、ユーザは、関係アイコン４７０を見ることで、関係アイコン４７０と同一セルに配置されたサムネイル４６１に対応する医療情報と関係性を有する他の医療情報が存在することを把握することができる。さらに、ユーザは、関係アイコン４７０から、関係性の種類が差分の因果関係（差分）の関係性であることを把握することができる。
【００４０】
なお、本実施形態においては、表示処理部２００は、基準画像のサムネイルに関連付けて関係アイコンを表示し、浮動画像のサムネイルに対しては関係アイコンの表示は行わないようにする。ただし、他の例としては、表示処理部２００は、基準画像と浮動画像それぞれのサムネイルに関連付けて関係アイコンを表示してもよい。さらにこの場合には、表示処理部２００は、関係アイコンが関連付けられている検査画像が、基準画像であるのか、浮動画像であるのかを識別可能な情報を示す関係アイコンを、それぞれのサムネイルに関連付けて表示することとしてもよい。以上の処理は、医療情報のサムネイルと関連付けてアイコンを表示する表示制御処理の一例である。
【００４１】
図４においては、差分を示す関係アイコンが表示されているが、表示処理部２００は、他の関係性を表す関係アイコンも同様に表示する。例えば、差分画像以外の比較画像や、単一の検査画像から生成した派生画像等が検査画像に関係付けられている場合には、検査画像間の因果関係を表す関係アイコンが表示される。さらに、表示処理部２００は、医療画像間の因果関係以外の関係性を表す関係アイコンも表示する。表示処理部２００は、例えば、検査画像に関係する読影・病理レポートが存在する場合には、その存在を表す関係アイコン（レポートアイコン）を表示する。このとき、表示処理部２００は、それぞれの関係性をユーザが識別可能に示す関係アイコンを用いることが望ましい。
【００４２】
図４の例においては、２０１２年９月１０日の列に、処置投薬オーダー情報及び読影病理レポート情報それぞれを示すサムネイルが配置されている。同様に、２０１３年２月１５日の列に、ＣＴ検査画像、デジカメ／スキャン情報、及びカルテ情報それぞれを示すサムネイルが配置されている。２０１３年３月１０日の列に、読影病理レポート情報を示すサムネイルが配置されている。２０１３年６月２４日の列に、ＣＴ検査画像、デジカメ／スキャン情報、及びカルテ情報それぞれを示すサムネイルが配置されている。また、ＣＴ検査画像のセルには、差分画像が関係付けられていることを示す差分アイコンが配置されている。２０１３年９月２日の列に、差分画像及びカルテ情報それぞれを示すサムネイルが配置されている。２０１３年１２月５日の列に、処置投薬オーダー情報及びカルテ情報それぞれを示すサムネイルが配置されている。また、差分画像のサムネイルは、差分画像処理が行われた日付の列（２０１３年９月２日）に配置される。
【００４３】
また、Ｓ３０１において得られた医療情報が長期間の日時情報に対応するものである場合には、分析部２０２は、日時情報に基づいて、表示欄４４１に表示する医療情報を絞り込んでもよい。以上、Ｓ３０２〜Ｓ３０５の処理は、整列表示処理に相当する処理である。
【００４４】
図３に戻り、Ｓ３０５の処理の後、Ｓ３０６において、受付部２０１は、選択指示を受け付けるまで待機する。例えば、ユーザがマウスカーソルを用いて、一覧画面４００上の注目部にフォーカスすると、カーソルにより指定された関係アイコンに対する選択指示を受け付ける。アイコンをポインティングする方法は、マウスカーソルを用いる以外の公知の方法であってもよい。また、受付部２０１は、マウスカーソル以外のユーザインタフェースから選択指示を受け付けてもよい。受付部２０１は、選択指示を受け付けると（Ｓ３０６でＹｅｓ）、処理をＳ３０７へ進める。受付部２０１は、選択指示を受け付けなかった場合には（Ｓ３０６でＮｏ）、処理をＳ３０９へ進める。
【００４５】
Ｓ３０７において、特定部２０３は、選択指示に係る関係アイコンの関係情報に基づいて、関係アイコンが配置されているセルのサムネイルと医療情報を特定する。以下、選択指示に係る関係アイコンが配置されているセルのサムネイルを選択サムネイル、選択サムネイルに対応する医療情報を選択医療情報と称することとする。そして、特定部２０３は、関係情報のインデクスを参照し、選択医療情報と関係性を有する医療情報を特定し、特定した医療情報に対応するサムネイルを特定する。以下、選択医療情報と関係性を有する医療情報を関係医療情報、関係医療情報に対応するサムネイルを関係サムネイルと称することとする。なお、関係医療情報は、選択医療情報に関係付けられている医療情報の一例である。
【００４６】
本実施形態においては、クライアント装置１００において、関係情報のインデクスがハッシュテーブルで管理されている。そこで、特定部２０３は、選択医療情報に該当するハッシュ値を計算して、それをキーとして、関係情報のハッシュテーブルを検索する。なお、この際、特定部２０３は、単純な関係性だけではなく、関係の方向性や関係度合いを含む場合には、それらの情報も合わせて取得する。
【００４７】
次に、Ｓ３０８において、表示処理部２００は、選択サムネイルと関係サムネイルにより特定される医療情報間の関係を示す表示情報を表示するよう制御する。本処理は、表示制御処理の一例である。表示処理部２００は、具体的には、表示情報として、選択サムネイルと関係サムネイルの間を結ぶ関係線を描画する。さらに、表示処理部２００は、関係性が基準画像と浮動画像から差分画像を生成したという画像間の因果関係である場合には、基準画像と浮動画像から差分画像に向かう矢印の関係線を表示する。これにより、ユーザは、矢印の方向により、基準画像や浮動画像と差分画像とを区別することができる。
【００４８】
さらに、他の例としては、表示処理部２００は、関係情報が関係度合い属性を含む場合には、関係度合い属性に基づいて、関係線の太さや色を変化させてもよい。例えば、表示処理部２００は、関係度合いが大きい程、より太い線幅で関係線を表示してもよい。また、他の例としては、表示処理部２００は、関係度合いが大きい程、より濃い色で関係線を表示してもよい。例えば、医療情報が読影レポートの場合、診断根拠として重要であると判断された検査画像との間の関係度合いは大きい。したがって、表示処理部２００は、読影レポートから延びる関係線を、他の医療情報から延びる関係線に比べてより太い線幅で表示してもよい。
【００４９】
図５は、関係線の表示例を示す図である。図５に示す表示欄４４１は、図４に示す表示欄４４１に対応する。ユーザによりマウスポインタ５１０を用いて関係アイコン４７０が選択されると、特定部２０３は、関係アイコン４７０に対応したサムネイル４６１と医療情報を特定する。そして、特定部２０３は、サムネイル４６１の医療情報と差分の因果関係を有する医療情報として、サムネイル４６２に対応する医療情報と、サムネイル４６３に対応する医療情報を特定する。そして、表示処理部２００は、サムネイル４６１，４６２からサムネイル４６３に向かう矢印の関係線５００を表示する。このように、関係アイコンを選択することにより、関係性を有する医療情報や関係性を把握することができる。
【００５０】
図３に戻り、Ｓ３０８の処理の後、Ｓ３０９において、受付部２０１は、ユーザ操作に応じて、終了指示を受け付けたか否かを確認する。受付部２０１は、終了指示を受け付けた場合には（Ｓ３０９でＹｅｓ）、表示処理を終了する。受付部２０１は、終了指示を受け付けなかった場合には（Ｓ３０９でＮｏ）、処理をＳ３０６へ進める。
【００５１】
以上のように、本実施形態に係る医療システムは、２つの医療情報の関係性を示す関係アイコンを、対応する医療情報のサムネイルと関連付けて表示するよう制御する。したがって、ユーザは、関係アイコンの有無により、一の医療情報と関係性を有する他の医療情報の有無を容易に把握することができる。そして、医療システムは、ユーザにより関係アイコンが選択されると、関係アイコンに対応付けられた複数の医療情報の間の関係を示す表示情報を表示するよう制御する。これにより、ユーザは、関係アイコンを選択することにより、医療情報の関係性を容易に把握することができる。以上のように、医療システムは、医療情報の検索により適した情報の表示を行うことができる。これにより、ユーザは、膨大な検査情報の中から、治療に必要な資料に容易に辿り着くことができる。また、多忙な医師の診療・治療計画の作業を効率化することができる。
【００５２】
第１の実施形態に係る医療システムの第１の変形例としては、クライアント装置１００は、差分画像のサムネイルを、差分画像処理が行われた日付の列に替えて、対応する基準画像の日付の列又は浮動画像の日付の列に配置してもよい。また、クライアント装置１００は、表示モードの切り替えに応じて、差分画像のサムネイルの表示位置を、差分画像処理が行われた日付の列から、基準画像や浮動画像の日時の列に切り換えてもよい。
【００５３】
第２の変形例としては、関係アイコンが選択された場合に、関係アイコンに対応する関係情報を特定し、表示内容を変更する処理は、実施形態において説明したＳ３０７、Ｓ３０８の処理に限定されるものではない。すなわち、クライアント装置１００は、関係アイコンに対応する関係情報を特定し、関係情報に示される複数の医療情報と、医療情報間の関係性を特定し、特定した複数の医療情報間を結ぶ関係線を表示すればよい。
【００５４】
第３の変形例としては、医療情報間の因果関係の関係性に係る比較画像は、複数の医療画像から生成可能な画像であればよく、差分画像や融合画像に限定されるものではない。比較画像の他の例としては、比較すべき２つの医療画像間において生じた被検体の局所的な体積変化の情報を画像化したヤコビアン画像が挙げられる。ヤコビアン画像は、差分画像の生成と同様に、複数の医療画像間の非線形な変形位置合わせを行うことで、公知の技術によって生成できる。また、因果関係に係る医療情報は、画像に限定されるものではなく、複数の医療情報間の比較結果を数値化した比較情報であってもよい。比較情報は、例えば、比較画像の統計情報であってもよい。例えば、差分画像に基づいて、画像間の変化の大小を定量化した値であってもよい。より具体的には、例えば、差分画像の画素値のヒストグラム、平均値、絶対値の和、二乗平均、絶対値が閾値以上となる画素数などであってもよい。
【００５５】
第４の変形例としては、関係線は、医療情報間の関係を示す表示情報の一例であり、表示情報は関係線に限定されるものではない。他の例としては、表示処理部２００は、関係アイコンが選択された場合に、図６に示すように、関係アイコンに関連付けて、表示情報としてのツールチップ６００を表示するよう制御してもよい。ここで、ツールチップ６００には、関係性を有する複数の医療情報それぞれの日時の差分（日数差）を示すテキスト情報が含まれている。なお、ツールチップ６００に含まれる情報は、日数差に限定されるものではない。また、ツールチップ６００は、表示内容をテキスト情報で表示する表示情報の一例である。なお、他の例としては、ツールチップ６００は、少なくとも１つの医療情報の日時情報を含んでもよい。この場合も、ユーザは、複数の医療情報間の関係を容易に把握することができる。
【００５６】
また、他の例としては、表示処理部２００は、関係線の表示と共に、または関係線の表示に替えて、関係性を有する複数の特定医療情報それぞれに対応するサムネイルを他のサムネイルと識別可能な表示態様に変更してもよい。ここで、他のサムネイルとは、関係性を有する複数の医療情報以外の１又は２以上の医療情報に対応するサムネイルである。
【００５７】
表示態様を変更する例としては、図７に示すように、表示処理部２００は、関係性を有する複数の医療情報それぞれに対応するサムネイルをハイライト表示（図７ではサムネイルを囲む破線で表現）することにより、強調表示してもよい。表示処理部２００は、具体的には、医療情報のサムネイルの枠を他のサムネイルの枠に比べて太い線で表示することによりハイライト表示する。また、他の例としては、変更対象は、サムネイルの枠に替えて、サムネイルが配置されたセルの枠であってもよい。この場合、ユーザは、ハイライト表示されているか否かにより、関係サムネイルに対応した医療情報を他の医療情報と識別することができる。また、ハイライト表示されたサムネイルに対応した医療情報が関係性を有する医療情報であると把握することができる。
【００５８】
さらに、この場合、表示処理部２００は、ハイライト表示の輝度を関係度合いに応じて変化させてもよい。また、基準画像と浮動画像のように、複数の特定医療情報の種類が異なる場合には、各特定医療情報に対応するサムネイルの表示態様を異ならせてもよい。例えば、表示処理部２００は、基準画像と浮動画像のサムネイルの線の太さや色を異ならせることで、基準画像と浮動画像を識別可能としてもよい。
【００５９】
また、表示態様を変更する他の例としては、表示処理部２００は、関係性を有する複数の医療情報それぞれに対応するサムネイル以外の他のサムネイルをグレーアウトしてもよい。また、他の例としては、表示処理部２００は、関係性を有する複数の医療情報それぞれに対応するサムネイル以外の他のサムネイルとマトリクスとのコントラストを下げることとしてもよい。これにより、関係性を有する複数の医療情報それぞれに対応するサムネイルを強調表示することができる。
【００６０】
第５の変形例としては、医療情報の一覧画面における医療情報の配置は実施形態に限定されるものではない。すなわち、２次元のマトリクス状の配置に限定されるものではない。一覧画面は、例えば、図８に示すように、医療情報のサムネイルを日時情報の軸に沿って１次元に配置したものでもよい。ここで、サムネイル８０１〜８０３はそれぞれ、図５に示すサムネイル４６１〜４６３に対応するものとする。本例においては、関係アイコン８００は、サムネイル８０１と同じ行に配置され、関係アイコン８００が選択されると、対応するサムネイル８０１，８０２，８０３を結ぶ関係線８１０が表示される。
【００６１】
第６の変形例としては、本実施形態においてクライアント装置１００が行うものとして説明した処理のうち少なくとも一部の処理はサーバ装置１１０が行うこととしてもよい。すなわち、医療システムのいずれかの装置が表示処理（図３）の各処理を担当すればよく、その処理主体は、実施形態に限定されるものではない。
【００６２】
第７の変形例としては、クライアント装置１００は、ユーザ操作により、比較画像や比較情報に対応したサムネイルが選択された場合においても、選択された比較画像や比較情報と関係性を有する医療情報との間の関係線を表示してもよい。クライアント装置１００は、例えば図５の例において、サムネイル４６３が選択された場合に、関係線５００を表示してもよい。
【００６３】
第８の変形例としては、因果関係（差分）に対する関係線は、差分画像のアイコンと、差分画像の生成元となる２つの検査画像のうちの１つの検査画像のアイコンとを結ぶものではればよい。また、他の例としては、因果関係（差分）に対する関係線は、差分画像の生成元となる２つの検査画像それぞれのアイコンを結ぶものであり、差分画像のアイコンとは繋がっていなくともよい。例えば、図５の例では、関係アイコン４７０が選択された場合に表示される関係線は、サムネイル４６１とサムネイル４６２のみを結び、サムネイル４６３とは繋がっていなくともよい。また、関係アイコン４７０が選択された場合に表示される関係線は、サムネイル４６１とサムネイル４６３のみを結び、サムネイル４６２とは繋がっていなくともよい。これらの場合においても、ユーザは少なくとも関係線で繋がれたサムネイルに対応した医療情報間の関係性については把握することができる。
【００６４】
（第２の実施形態）
第２の実施形態に係る医療システムにおいては、クライアント装置１００は、一の医療情報に対し、異なる複数の関係情報が対応付けられている場合には、各関係情報に対応した複数の関係アイコンを１つの医療情報のサムネイルに関連付けて表示する。図９は、表示欄９００の一例を示す図である。ここで、サムネイル９０１，９０２に対応する医療情報としての検査画像は、サムネイル９１３に対応する差分画像の生成元の画像であるとする。また、サムネイル９０１，９１２に対応する医療情報としての検査画像は、サムネイル９０３に対応する差分画像の生成元の画像であるとする。さらに、サムネイル９０１に対応する検査画像が基準画像で、サムネイル９０２，９１２に対応する検査画像が浮動画像であるとする。
【００６５】
この場合、表示処理部２００は、サムネイル９０１に対応する検査画像に対し、２つの関係アイコンを生成し、サムネイル９０１と同じセルに２つの関係アイコン９２１，９２２を表示する。ここで、関係アイコン９２１は、サムネイル９０１，９０２，９１３のそれぞれに対応する医療情報間の関係性に対応したものである。また、関係アイコン９２２は、サムネイル９０１，９１２，９０３のそれぞれに対応する医療情報間の関係性に対応したものである。そして、表示処理部２００は、関係アイコン９２１が選択されると、サムネイル９０１，９０２，９１３を結ぶ関係線９３１を表示する。また、表示処理部２００は、関係アイコン９２２が選択されると、サムネイル９０１，９１２，９０３を結ぶ関係線９３２を表示する。なお、第２の実施形態に係る医療システムのこれ以外の構成及び処理は、第１の実施形態に係る医療システムの構成及び処理と同様である。
【００６６】
第２の実施形態の第１の変形例としては、クライアント装置１００は、一の関係アイコンが選択され、これに対応した関係線を表示する場合に、選択された関係アイコンと同一の医療情報に対応した、未選択の関係アイコンに対応した関係線も表示してもよい。さらに、クライアント装置１００は、この場合には、未選択の関係アイコンに対応した関係線については、選択された関係アイコンに対応した関係線よりも薄い色で表示するなど目立たない状態で表示することとしてもよい。
【００６７】
第２の変形例としては、第１の実施形態の第４の変形例において説明したのと同様に、関係アイコンが選択された場合には、選択された関係アイコンに対応した、関係性を有することを表す表示情報としてのツールチップを表示してもよい。図１０に示す表示欄９００は、図９に示す表示欄９００に対応するものとする。表示処理部２００は、関係アイコン９２１が選択されると、サムネイル９０１，９０２，９１３に対応した医療情報間の関係性をテキスト情報で表す表示情報としてのツールチップ１００１を表示する。また、表示処理部２００は、関係アイコン９２２が選択されると、サムネイル９０１，９１２，９０３に対応した医療情報間の関係性をテキスト情報で表すツールチップ１００２を表示する。ここで、各ツールチップ１００１，１００２には、基準画像と浮動画像の間の検査日時の日数差と、浮動画像の検査日付が含まれている。
【００６８】
第３の変形例としては、クライアント装置１００は、一の医療情報に対し、異なる複数の関係情報が対応付けられている場合においても、１つの関係アイコンのみを表示することとしてもよい。そして、クライアント装置１００は、この関係アイコンが選択された場合に、複数の関係情報の表示情報を一覧表示するウィンドウを関係アイコンに関連付けて表示してもよい。図１１は、図９に示す表示欄９００に対応した表示欄を示す図である。図１１の例では、サムネイル９０１に対応して１つの関係アイコン１１００のみが表示される。そして、関係アイコン１１００が選択されると、ウィンドウ１１１０が表示される。ウィンドウ１１１０には、複数の関係情報の表示情報１１１１，１１１２が表示されている。そして、クライアント装置１００は、表示情報が選択されると、対応する関係線を表示する。これにより、１つの医療情報に対し多数の関係情報が対応付けられている場合においても、画面構成を簡潔にすることができる。
【００６９】
第４の変形例としては、表示欄には比較画像を表示しないこととしてもよい。この場合、クライアント装置１００は、差分の因果関係の関係性が特定された場合においても、検査画像に対応したサムネイル間のみを結ぶ関係線を表示すればよい。図１２は、図９に示す表示欄９００に対応した表示欄を示す図である。図１２の例においては、クライアント装置１００は、関係アイコン９２１が選択されると、サムネイル９０１とサムネイル９０２を結ぶ関係線１２０１を表示する。また、クライアント装置１００は、関係アイコン９２２が選択されると、サムネイル９０１とサムネイル９１２を結ぶ関係線１２０２を表示する。
【００７０】
（第３の実施形態）
次に、第３の実施形態に係る医療システムについて、他の実施形態に係る医療システムと異なる点を説明する。図３を参照しつつ説明したＳ３０８において、関係線を表示する場合において、時系列方向のセルの数が制限されていることに起因して、関係線で結ぶべき複数のサムネイルのうち少なくとも１つのサムネイルが表示欄に表示されていない場合がある。この場合には、表示処理部２００は、関係線で結ぶべきすべてのサムネイルを表示可能とすべく、関係線で結ぶべきサムネイル以外のサムネイルのうちすくなくとも１つに対応する列を省略するよう制御する。
【００７１】
図１３は、表示欄１３００の一例を示す図である。表示欄１３００に示されるサムネイル１３０１，１３０２それぞれに対応する検査画像から、サムネイル１３０３に対応する差分画像が生成されたとする。さらに、サムネイル１３０１に対応する検査画像が基準画像で、サムネイル１３０２に対応する検査画像が浮動画像であるとする。この場合には、表示処理部２００は、サムネイル１３０１に対応する検査画像に対し、関係アイコンを生成し、サムネイル１３０１と同じセルに関係アイコン１３１０を表示する。なお、サムネイル１３０２に対応する医療情報の日時が古いため、Ｓ３０５の一覧表示の時点においては、サムネイル１３０２及びサムネイル１３０２含む列は表示欄１３００に表示されていないものとする。
【００７２】
この状態において、Ｓ３０６において、ユーザが関係アイコン１３１０を選択したとする。この場合、表示処理部２００は、関係アイコン１３１０により特定されるサムネイル１３０２が配置される列を表示欄１３００に追加し、サムネイル１３０２を配置する。そして、表示処理部２００は、サムネイル１３０２の列の追加に伴い、サムネイル１３０２よりも新しい日時に対応する列で、かつ関係アイコン１３１０により特定されるサムネイルが配置されていない列を省略する。表示処理部２００は、例えば、空欄１３２０を設けることにより、間の日時に対応した列を省略していることを明示する。なお、第３の実施形態に係る医療システムのこれ以外の構成及び処理は、他の実施形態に係る医療システムの構成及び処理と同様である。
【００７３】
以上のように、第３の実施形態においては、クライアント装置１００は、関係性を有する医療情報に対応した複数のサムネイルのうち少なくとも１つのサムネイルが表示欄に表示されていない場合に、すべてのサムネイルを表示欄に追加することができる。さらに、クライアント装置１００は、追加したサムネイルを含む、関係性を有する医療情報に対応したすべてのサムネイルを繋ぐ関係線を表示することができる。
【００７４】
第３の実施形態の変形例としては、表示処理部２００は、表示欄の一部の列を省略するのにかえて、時系列方向のセルの数を増やしてもよい。図１４は、表示欄１３００に対応した表示欄を示す図である。図１４に示す表示欄１４００においては、表示処理部２００は、時系列方向のセルの数を予め定められた６個から、９個に増やすことにより、関係線１３３０で繋ぐサムネイル１３０２を表示欄１４００に追加している。表示処理部２００はさらにこの場合に、セルサイズが小さくなることに対応して、サムネイルを縮小表示してもよい。
【００７５】
以上、本発明の好ましい実施形態について詳述したが、本発明は係る特定の実施形態に限定されるものではなく、特許請求の範囲に記載された本発明の要旨の範囲内において、種々の変形・変更が可能である。
【００７６】
（その他の実施例）
以上、実施形態例を詳述したが、本発明は例えば、システム、装置、方法、プログラム若しくは記録媒体(記憶媒体)等としての実施態様をとることが可能である。具体的には、複数の機器（例えば、ホストコンピュータ、インタフェース機器、撮像装置、Webアプリケーション等）から構成されるシステムに適用しても良いし、また、一つの機器からなる装置に適用しても良い。
【００７７】
また、本発明の目的は、以下のようにすることによって達成されることはいうまでもない。即ち、前述した実施形態の機能を実現するソフトウェアのプログラムコード（コンピュータプログラム）を記録した記録媒体（または記憶媒体）を、システムあるいは装置に供給する。係る記憶媒体は言うまでもなく、コンピュータ読み取り可能な記憶媒体である。そして、そのシステムあるいは装置のコンピュータ（またはＣＰＵやＭＰＵ）が記録媒体に格納されたプログラムコードを読み出し実行する。この場合、記録媒体から読み出されたプログラムコード自体が前述した実施形態の機能を実現することになり、そのプログラムコードを記録した記録媒体は本発明を構成することになる。
【符号の説明】
【００７８】
１００  クライアント装置
２００  表示処理部
２０２  分析部
２０３  特定部
【図１】
2019003230.tif 000003
【図２】
2019003230.tif 000004
【図３】
2019003230.tif 000005
【図４】
2019003230.tif 000006
【図５】
2019003230.tif 000007
【図６】
2019003230.tif 000008
【図７】
2019003230.tif 000009
【図８】
2019003230.tif 000010
【図９】
2019003230.tif 000011
【図１０】
2019003230.tif 000012
【図１１】
2019003230.tif 000013
【図１２】
2019003230.tif 000014
【図１３】
2019003230.tif 000015
【図１４】
2019003230.tif 000016